(57)【要約】【課題】  記憶したライフログを十分に活用することができる携帯端末装置を提供する。【解決手段】  ライフログキーＡが押されると、発生したトリガー信号が制御部２１に入力され、制御部２１は、動作関連情報として、起動しているアプリケーション、表示している画像データ、出力している音声データ、などトリガー信号が入力された時点における各種の情報を取得して記憶部２２のログ記憶部３５に記憶する。制御部２１は、位置関連情報として、ＧＰＳ受信部２９が出力する経緯度、無線接続している他の機器、などトリガー信号が入力された時点における自機の位置に関連する各種の情報を取得して記憶部２２のログ記憶部３５に記憶する。このとき、制御部２１は、トリガー信号が入力された時刻も取得して各関連情報に関連付けてライフログとして記憶部２２のログ記憶部３５に記憶する。【選択図】      図２
2014007532.tif 000002
【特許請求の範囲】
【請求項１】
自装置の動作状態に関連する動作関連情報または自装置の現在位置に関連する位置関連情報の少なくともいずれかを取得する取得手段と、
前記動作関連情報および前記位置関連情報を記憶する記憶手段と、
ユーザの操作によって、前記取得手段に、前記動作関連情報または前記位置関連情報の少なくともいずれかを取得するよう指示する指示手段と、
前記指示手段が前記取得手段に指示した時刻を検出し、検出した時刻と、前記指示によって前記取得手段が取得した前記動作関連情報または前記位置関連情報の少なくともいずれかとを関連付けて、前記記憶手段に記憶させる制御手段と、を備える携帯端末装置。
【請求項２】
画像を表示する表示手段と、
音声を出力する音声出力手段とをさらに備え、
前記動作関連情報は、起動しているアプリケーションソフトウェアに関連するアプリ情報と、表示手段に表示されている画像に関連する画像情報と、出力手段で出力されている音声に関連する音声情報と、を含むことを特徴とする請求項１記載の携帯端末装置。
【請求項３】
他の装置と通信を行う通信手段をさらに備え、
前記位置関連情報は、自装置の位置を経緯度で示す経緯度情報と、他の装置との無線通信による接続状態に関連する接続情報と、を含むことを特徴とする請求項１または２記載の携帯端末装置。
【請求項４】
前記指示手段が操作された回数を検出する回数検出手段をさらに備え、
前記制御手段は、前記時刻と、前記回数検出手段によって検出された回数に応じたユーザの感情を表す感情情報とを関連付けて、前記記憶手段に記憶させることを特徴とする請求項１〜３のいずれか１つに記載の携帯端末装置。
【請求項５】
前記記憶手段に記憶された前記動作関連情報または前記位置関連情報の少なくともいずれかに基づくログ情報を、関連付けられた時刻の順に出力するログ出力手段をさらに備えることを特徴とする請求項１〜４のいずれか１つに記載の携帯端末装置。
【発明の詳細な説明】
【技術分野】
【０００１】
本発明は、ライフログを収集することが可能な携帯端末装置に関する。
【背景技術】
【０００２】
タッチパネルなどの入力インターフェイスや、大容量かつ小型化された記録メディアの開発が進み、無線通信技術の向上、無線通信設備の整備などにより、スマートフォンやタブレットＰＣ（パーソナルコンピュータ）などの携帯端末装置によって実現できる機能が大幅に向上し、普及率も高いものとなっている。
【０００３】
このような携帯端末装置の状況を見据えた新たなサービスの提供も開始されている。たとえば、携帯端末装置の現在位置がユーザの現在位置と同じであるという想定のもとに、現在位置に連動して情報の共有やコミュニケーションを図ることができる位置情報連動ＳＮＳ（Social Networking Service）などが提供される。また、ユーザによるウェブサイトの閲覧履歴、検索のために入力されたキーワードに基づいて、ユーザに応じた広告情報の配信を行うサービスや、現在位置情報に応じてクーポンの配信を行うサービスなど、ユーザのライフスタイルに合わせて、様々なサービスの提供を行うコンシェルジュサービスの提供も始まっている。
【０００４】
このようなサービスを提供するに当たっては、提供すべきサービスを決定するために、ユーザの行動内容をデジタルデータ化したライフログを取得することが重要となる。
【０００５】
特許文献１記載の情報グループ化システムは、個人の生活や行動にまつわる状態情報群をグループ化して追記するシステムであって、ユーザがキャプチャ装置を操作すると、被キャプチャ装置が送信した状態情報を１つのグループとしてグループＩＤを対応付けて記憶手段に追記する。
【先行技術文献】
【特許文献】
【０００６】
【特許文献１】特開２０１１−７６４５４号公報
【発明の概要】
【発明が解決しようとする課題】
【０００７】
特許文献１記載の情報グループ化システムは、ＩＤによって状態情報をグループ化して行動履歴を記録しようとするものである。この情報グループ化システムは、ＩＤによってキャプチャ装置が操作されたときの各被キャプチャ装置が送信する状態情報を１つのグループとして互いに関連性を持たせることができるが、複数の情報を１つのグループとして関連付けるだけに過ぎず、記憶したライフログを十分に活用することができない。
【０００８】
本発明の目的は、記憶したライフログを十分に活用することができる携帯端末装置を提供することである。
【課題を解決するための手段】
【０００９】
本発明は、自装置の動作状態に関連する動作関連情報または自装置の現在位置に関連する位置関連情報の少なくともいずれかを取得する取得手段と、
前記動作関連情報および前記位置関連情報を記憶する記憶手段と、
ユーザの操作によって、前記取得手段に、前記動作関連情報または前記位置関連情報の少なくともいずれかを取得するよう指示する指示手段と、
前記指示手段が前記取得手段に指示した時刻を検出し、検出した時刻と、前記指示によって前記取得手段が取得した前記動作関連情報または前記位置関連情報の少なくともいずれかとを関連付けて、前記記憶手段に記憶させる制御手段と、を備える携帯端末装置である。
【００１０】
また本発明は、画像を表示する表示手段と、
音声を出力する音声出力手段とをさらに備え、
前記動作関連情報は、起動しているアプリケーションソフトウェアに関連するアプリ情報と、表示手段に表示されている画像に関連する画像情報と、出力手段で出力されている音声に関連する音声情報と、を含むことを特徴とする。
【００１１】
また本発明は、他の装置と通信を行う通信手段をさらに備え、
前記位置関連情報は、自装置の位置を経緯度で示す経緯度情報と、他の装置との無線通信による接続状態に関連する接続情報と、を含むことを特徴とする。
【００１２】
また本発明は、前記指示手段が操作された回数を検出する回数検出手段をさらに備え、
前記制御手段は、前記時刻と、前記回数検出手段によって検出された回数に応じたユーザの感情を表す感情情報とを関連付けて、前記記憶手段に記憶させることを特徴とする。
【００１３】
また本発明は、前記記憶手段に記憶された前記動作関連情報または前記位置関連情報の少なくともいずれかに基づくログ情報を、関連付けられた時刻の順に出力するログ出力手段をさらに備えることを特徴とする。
【発明の効果】
【００１４】
本発明によれば、取得手段が、自装置の動作状態に関連する動作関連情報または自装置の現在位置に関連する位置関連情報の少なくともいずれかを取得し、記憶手段が、前記動作関連情報および前記位置関連情報を記憶する。
【００１５】
ユーザの操作によって、指示手段が前記取得手段に、前記動作関連情報または前記位置関連情報の少なくともいずれかを取得するよう指示すると、制御手段は、前記指示手段が前記取得手段に指示した時刻を検出し、検出した時刻と、前記指示によって前記取得手段が取得した前記動作関連情報または前記位置関連情報の少なくともいずれかとを関連付けて、前記記憶手段に記憶させる。
【００１６】
ユーザの指示によって、動作関連情報または位置関連情報の少なくともいずれかを取得して記憶することができ、取得した時刻も関連付けて記憶しておくことができる。たとえば、動作関連情報または位置関連情報の少なくともいずれかであるライフログを取得した時刻の順に並べて出力したり、特定の日時、特定の時刻に携帯端末装置が、どこで、どのような動作を実行していたのかを出力するなど、ライフログの活用の場が広がり、記憶したライフログを十分に活用することができる。
【００１７】
また本発明によれば、画像を表示する表示手段と、音声を出力する音声出力手段とをさらに備えており、前記動作関連情報は、起動しているアプリケーションソフトウェアに関連するアプリ情報と、表示手段に表示されている画像に関連する画像情報と、出力手段で出力されている音声に関連する音声情報とを含む。
【００１８】
動作関連情報として、画像情報、音声情報を記憶しておくことができるので、これらの情報をライフログとして出力することができる。
【００１９】
また本発明によれば、他の装置と通信を行う通信手段をさらに備え、前記位置関連情報は、自装置の位置を経緯度で示す経緯度情報と、他の装置との無線通信による接続状態に関連する接続情報とを含む。
【００２０】
位置関連情報として、経緯度情報と接続情報を記憶しておくことができ、経緯度情報のような直接的な位置情報のみならず、接続情報のような間接的な位置情報も記憶しておくことができる。
【００２１】
また本発明によれば、前記指示手段が操作された回数を検出する回数検出手段をさらに備え、前記制御手段は、前記時刻と、前記回数検出手段によって検出された回数に応じたユーザの感情を表す感情情報とを関連付けて、前記記憶手段に記憶させる。
これにより、ライフログを記憶させたときのユーザの感情までも記憶させることができる。
【００２２】
また本発明によれば、ログ出力手段が、前記記憶手段に記憶された前記動作関連情報または前記位置関連情報の少なくともいずれかに基づくログ情報を、関連付けられた時刻の順に出力する。これにより、ライフログをいわゆるタイムライン表示することができる。
【図面の簡単な説明】
【００２３】
【図１】本発明の実施形態である携帯機器２０の構成を示す外観図である。
【図２】携帯機器２０の構成を示すブロック図である。
【図３】携帯機器２０を含む通信システムを示す模式図である。
【図４】ログデータのデータ構成の一例を示す図である。
【図５】ライフログの出力態様を示す模式図である。
【図６】検索処理を行うときの操作画面の例および操作画面の遷移を示す図である。
【発明を実施するための形態】
【００２４】
図１は、本発明の実施形態である携帯機器２０の構成を示す外観図であり、図２は、携帯機器２０の構成を示すブロック図である。
【００２５】
携帯機器２０は、たとえばスマートフォン、タブレットＰＣなどの携帯端末装置によって構成される。以下では、携帯機器２０がスマートフォンである場合を例にして説明する。
【００２６】
携帯機器２０は、制御部２１、記憶部２２、一時記憶部２３、操作部２４、表示部２５、通信部２６、スピーカ部２７、振動部２８、マイク部３０、カメラ部３１、ログ送信部３３および図示しない計時部を含んで構成される。
【００２７】
制御手段およびコンピュータである制御部２１は、たとえばＣＰＵによって構成され、記憶部２２に記憶されるプログラムを実行することによって、操作部２４、表示部２５、通信部２６、スピーカ部２７、振動部２８、ログ送信部３２および図示しない計時部を制御する。
【００２８】
記憶手段である記憶部２２は、不揮発性の大容量の記憶装置、たとえばＳＳＤあるいはフラッシュメモリカードなどの半導体メモリ、またはＨＤＤなどによって構成される。記憶部２２は、制御部２１によって実行されるプログラム、および制御部２１がプログラムを実行するために必要な情報を記憶する。記憶部２２に記憶される情報は、制御部２１によって書き込みおよび読み出しが行われる。記憶部２２は、ログ記憶部３５を含む。
【００２９】
一時記憶部２３は、書き込み速度および読み出し速度が記憶部２２よりも高速で揮発性の記憶装置、たとえばＤＲＡＭなどの半導体メモリによって構成され、制御部２１がプログラムを実行するために必要な情報を一時的に記憶するワークメモリである。一時記憶部２３に記憶される情報は、制御部２１によって書き込みおよび読み出しが行われる。
【００３０】
操作部２４は、文字、数字および記号などの情報などを入力するための複数のキーによって構成される。操作部２４は、操作されたキーに対応付けられている情報を制御部２１に送る。操作部２４は、メカニカルキーであってもよく、ソフトキーであってもよく、ソフトキーを実現するためのタッチパネルを備えることが好ましい。また、操作部２４は、本発明の特徴であるライフログキーＡを含む。詳細については後述するが、ユーザがライフログキーＡを押すことで、その時点での携帯機器２０の動作状態に関連する各種の情報である動作関連情報または携帯機器２０の現在位置に関連する位置関連情報の少なくともいずれかをライフログ情報として記憶部２２のログ記憶部３５に、都度記憶していく。ライフログ情報は、ライフログキーＡが押された時刻と動作関連情報および位置関連情報とが関連付けられて記憶される。本実施形態では、ライフログキーＡは、図１に示すように、たとえば携帯機器２０の筐体側面に設けられたサイドキーである。ライフログキーＡは、ユーザが操作することによって、ライフログ情報を記憶部２２のログ記憶部３５に記憶するトリガー信号を発生するものであればよく、サイドキーのように専用のライフログキーＡが設けられている場合は、ライフログキーＡであるサイドキーが押下され、キー押下信号が出力されると、キー押下信号自体がトリガー信号となって制御部２１に入力される。
【００３１】
トリガー信号が制御部２１に入力されると、制御部２１は、動作関連情報として、起動していれば起動しているアプリケーション、表示していれば表示している画像データ、出力していれば出力している音声データなどトリガー信号が入力された時点における自機の動作に関連する各種の情報を取得して記憶部２２のログ記憶部３５に記憶する。また、トリガー信号が制御部２１に入力されると、制御部２１は、位置関連情報として、ＧＰＳ受信部２９が出力する経緯度、無線接続していれば接続している他の機器などトリガー信号が入力された時点における自機の位置に関連する各種の情報を取得して記憶部２２のログ記憶部３５に記憶する。このとき、制御部２１は、トリガー信号が入力された時刻も取得して動作関連情報および位置関連情報に関連付けてライフログとして記憶部２２のログ記憶部３５に記憶する。
【００３２】
サイドキー以外のライフログキーとしては、ライフログキーＡとなるメカニカルキーと通信部とからなる小型のワイヤレスキーであってもよい。ライフログキーＡが押されると、通信部からライフログキーＡが押されたことを示すキー押下信号が発信され、通信部２６がこれを受信すると、ライフログ情報を記憶するためのトリガー信号を発生して制御部２１へと出力する。
【００３３】
また、ライフログキーＡとしては、タッチパネルと表示部２５との組合せによるソフトキーであってもよい。ライフログキーのキー画像を表示部２５に表示し、キー画像に対応するタッチパネルの領域がタップされると、タッチパネルから出力される座標信号がトリガー信号として制御部２１に入力される。
【００３４】
表示手段である表示部２５は、たとえば液晶ディスプレイなどの表示装置によって構成される。表示部２５は、制御部２１が生成する画像データに基づいて画像を表示する。画像データの生成は、ＯＳ（Operating System）によるものや、アプリケーションによるものがあり、記憶部２２に記憶された画像データに基づき、表示部２５の仕様に応じて、表示部２５で表示可能な画像データが生成される。
【００３５】
通信部２６は、無線データ通信によって基地局の通信設備を介して移動体通信網などのネットワークに接続され、ネットワークに接続される他の装置、たとえばコンテンツ配信サーバ、電子メールサーバ、ＳＮＳサーバ、掲示板サーバ、ログ収集サーバなどと各種情報の送受信を行う通信装置によって構成される。また、通信部２６によって移動体通信網と接続し、他の電話装置との電話通信を行うことも可能である。
【００３６】
通信部２６は、制御部２１から受け取る情報を、ネットワークを介して、制御部２１から指示される他の装置に送信し、ネットワークを介して他の装置から受け取る情報を制御部２１に送る。移動体通信網との接続における通信方式は、第３世代携帯電話方式（略称：３Ｇ）であるが、インターネット、ＬＡＮ（Local Area Network）、ＶＰＮ（Virtual Private Network）などの各種ネットワークを介してデータ通信を行うために中距離、近距離無線通信も可能であり、たとえばＷｉ−Ｆｉ（登録商標）、Ｂｌｕｅｔｏｏｔｈ（登録商標）あるいはＺｉｇｂｅｅ（登録商標）などの通信方式であってもよい。
【００３７】
スピーカ部２７は、たとえばスピーカを含む音声出力装置によって構成される。スピーカ部２７は、制御部２１が生成する音声データに基づいて、音声を出力する。音声データは、楽曲データ、合成音データなどの各種音声データを取り扱うことが可能である。また、電話通信時には、相手側電話装置から受信した音声データに基づく音声を出力する。振動部２８は、たとえば振動子などの振動装置によって構成され、いわゆるバイブレーションによって音声とともにまたは音声の代わりにユーザに対して通知を行う。
【００３８】
ＧＰＳ受信部２９は、Global Positioning Systemのユーザ・セグメントに相当するＧＰＳ受信機で構成され、少なくとも緯度および経度の測位が可能であればよく、高度を含む３次元測位を行い、経緯度と高度とを取得することもできる。
【００３９】
マイク部３０は、たとえばマイクを含む音声入力装置によって構成される。マイク部３０は、入力された音声を電気信号として制御部２１に出力し、制御部２１が音声データに変換する。変換された音声データは、記憶部２２に記憶することで、ボイスレコーダ機能を実現することができる。また、電話通信時には、マイク部３０から入力された音声は、音声データとして相手側電話装置へと送信することが可能である。
【００４０】
カメラ部３１は、ＣＣＤカメラ、ＣＭＯＳカメラなど被写体を撮影して画像データを生成するデジタルカメラ装置によって構成され、生成した画像データを記憶するビデオメモリ３２を含む。カメラ部３１は、静止画データおよび動画データのいずれの画像データも生成することができる。制御部２１の指示により、ビデオメモリ３２に記憶されている画像データを、記憶部２２に記憶させることもできる。
【００４１】
ログ送信部３３は、ログ記憶部３５に記憶されるライフログ情報を読み出し、読み出したライフログ情報に基づいて、生成したログデータを通信部２６によってログ収集サーバへ送信させる。
【００４２】
図示しない計時手段である計時部は、時刻を計時する。制御部２１は、計時部を参照することによって、現在の時刻を取得することができる。
【００４３】
図３は、携帯機器２０を含む通信システムを示す模式図である。携帯機器２０は、通信ネットワークＮと無線通信または必要に応じて有線通信によりデータ通信可能に接続され、ログ収集サーバＳは、通信ネットワークＮと有線または無線通信によりデータ通信可能に接続される。通信ネットワークＮは、移動体通信網やインターネットなどのデータ通信可能なネットワークであればよい。
【００４４】
ライフログ情報に基づくログデータは、ユーザの操作により、または予め定める時刻、時間間隔などのスケジュールに応じて、ログ送信部３３が読み出し、通信部２６から通信ネットワークを介して携帯機器２０と接続されたログ収集サーバＳへと送信される。また、ログ収集サーバＳに記憶されたログデータは、ユーザの操作により、または予め定める時刻、時間間隔などのスケジュールに応じて、携帯機器２０からの要求に応じてログ収集サーバＳから携帯機器２０へと送信される。
【００４５】
以下では、ユーザによってライフログキーＡが押されたときに取得される動作関連情報および位置関連情報について説明する。
【００４６】
動作関連情報は、主にアプリケーションが起動している状態で、起動しているアプリケーションの動作に応じて表示されている画像情報などとして取得される。
【００４７】
携帯機器２０のシステム上で動作するアプリケーションの例としては、画像閲覧アプリ、画像撮影アプリ、ウェブ閲覧アプリ、ＶＯＤ（Video on Demand）視聴アプリ、電子書籍アプリ、音楽再生アプリおよび電子メールアプリなどがある。
【００４８】
＜画像閲覧アプリ＞
画像閲覧アプリは、いわゆる画像ビューワであり、記憶部２２に記憶されている画像データに基づく画像を表示部２５に表示させる。画像閲覧アプリが表示させる画像は、静止画であっても動画であってもよい。静止画であれば、たとえば複数の画像をサムネイル表示などによって一覧表示したり、複数の画像を一定時間ごとに１枚ずつ切り替えながら表示するスライドショー表示することができる。ユーザがいずれか１つの静止画を選択すると、選択された１枚の静止画を表示部２５に表示する。選択された画像に対しては、拡大処理、縮小処理、回転処理などの編集処理を施すことが可能である。
【００４９】
また、動画であれば、各動画像データの第１フレームを静止画データとして取り出し、記憶されている各動画の代表画像として一覧表示したり、動画のタイトルと再生時間などをリスト表示する。ユーザがいずれか１つの代表画像またはタイトルを選択すると選択された代表画像またはタイトルの動画が再生される。
【００５０】
このような画像閲覧アプリが起動している状態で、ライフログキーＡが押されトリガー信号が制御部２１に入力された時点で、起動しているアプリケーション、すなわち画像閲覧アプリの名称など当該アプリケーションが識別可能な情報を動作関連情報として記憶する。このとき、トリガー信号が制御部２１に入力された時点で、表示部２５に表示されている画像、すなわちユーザの選択によって表示されている静止画または動画の画像データのファイルネームなど当該画像データが識別可能な情報を動作関連情報として記憶してもよい。さらに詳細な情報として、トリガー信号が制御部２１に入力された時点で、静止画に編集処理を施している場合は、たとえば変倍率や回転角度を動作関連情報として記憶してもよい。さらに詳細な情報として、トリガー信号が制御部２１に入力された時点で、動画を再生している場合は、たとえば、トリガー信号が制御部２１に入力された時点における動画の再生時間または再生されているフレーム番号を動作関連情報として記憶してもよい。
【００５１】
＜画像撮影アプリ＞
画像撮影アプリは、カメラによる画像の撮影を行うためのアプリケーションである。撮影する画像は、静止画であってもよく、動画であってもよい。画像撮影アプリは、ズーム倍率、シャッタースピード、撮影解像度などの撮影条件を設定することが可能である。
【００５２】
このような画像撮影アプリが起動している状態で、ライフログキーＡが押されトリガー信号が制御部２１に入力された時点で、起動しているアプリケーション、すなわち画像撮影アプリの名称など当該アプリケーションが識別可能な情報を動作関連情報として記憶する。このとき、トリガー信号が制御部２１に入力された時点で、表示部２５に表示されている画像、すなわちユーザの操作によって撮影された静止画または動画の画像データのファイルネームなど当該画像データが識別可能な情報を動作関連情報として記憶してもよい。さらに詳細な情報として、トリガー信号が制御部２１に入力された時点で、設定しているズーム倍率などの撮影条件を動作関連情報として記憶してもよい。
【００５３】
＜ウェブ閲覧アプリ＞
ウェブ閲覧アプリは、ウェブページを表示するためのウェブブラウザであり、データ通信によって移動体通信網またはインターネットを介してウェブサーバと接続し、ウェブページデータをダウンロードして表示部２５に表示する。
【００５４】
このようなウェブ閲覧アプリが起動している状態で、ライフログキーＡが押されトリガー信号が制御部２１に入力された時点で、起動しているアプリケーション、すなわちウェブ閲覧アプリの名称など当該アプリケーションが識別可能な情報を動作関連情報として記憶する。このとき、トリガー信号が制御部２１に入力された時点で、ウェブブラウザによって表示部２５に表示されているウェブページのＵＲＬ（Uniform Resource Locator）など当該ウェブページが識別可能な情報を動作関連情報として記憶してもよい。
【００５５】
＜ＶＯＤ視聴アプリ＞
ＶＯＤ視聴アプリは、動画のストリーミング再生プレイヤーであり、データ通信によって移動体通信網またはインターネットを介してコンテンツ配信サーバと接続し、コンテンツデータをダウンロードしながら再生する。
【００５６】
ＶＯＤ視聴アプリが起動すると、まずは、配信サービスへのログイン処理や認証処理を行い、再生可能な動画コンテンツのタイトルなどをコンテンツ配信サーバから取得し、タイトルリストなどを表示する。タイトルとともにコンテンツの内容を示す静止画を表示したり、動画の一部（再生時間が数秒程度）を再生するようにしてもよい。ＶＯＤ視聴アプリは、ユーザが視聴したいコンテンツを選択すると、必要に応じて課金処理を行い、動画コンテンツのストリーミング再生を開始する。
【００５７】
このようなＶＯＤ視聴アプリが起動している状態で、ライフログキーＡが押されトリガー信号が制御部２１に入力された時点で、起動しているアプリケーション、すなわちＶＯＤ視聴アプリの名称など当該アプリケーションが識別可能な情報を動作関連情報として記憶する。このとき、トリガー信号が制御部２１に入力された時点で、プレイヤーによってストリーミング再生されている動画コンテンツのタイトル、コンテンツＩＤなど当該コンテンツが識別可能な情報を動作関連情報として記憶してもよい。さらに詳細な情報として、トリガー信号が制御部２１に入力された時点における動画の再生時間または再生されているフレーム番号を動作関連情報として記憶してもよい。
【００５８】
＜電子書籍アプリ＞
電子書籍アプリは、電子書籍データを表示する電子書籍ビューワである。電子書籍データは、文章データと挿絵画像データとを含み、新聞、雑誌および書籍などを電子化したデータであり、紙媒体と同じように、電子書籍ビューワによって、ページ単位で文章および挿絵を表示することができる。
【００５９】
電子書籍アプリを起動すると、記憶部２２に記憶されている電子書籍データに基づいて、書籍のタイトルが一覧表示される。書籍のタイトルとともに表紙画像などを表示することもできる。一覧表示された中からユーザが１つのタイトルを選択すると、選択された書籍のページが表示される。電子書籍アプリは、記憶部２２に記憶されている電子書籍データ以外に、データ通信によって電子書籍配信サーバと接続し、課金処理などを経たのち、ダウンロードして電子書籍データを取得することもできる。
【００６０】
このような電子書籍アプリが起動している状態で、ライフログキーＡが押されトリガー信号が制御部２１に入力された時点で、起動しているアプリケーション、すなわち電子書籍アプリの名称など当該アプリケーションが識別可能な情報を動作関連情報として記憶する。このとき、トリガー信号が制御部２１に入力された時点で、電子書籍ビューワで表示されている電子書籍のタイトルなど当該電子書籍が識別可能な情報を動作関連情報として記憶してもよい。さらに詳細な情報として、トリガー信号が制御部２１に入力された時点に表示されているページ番号を動作関連情報として記憶してもよい。
【００６１】
＜音楽再生アプリ＞
音楽再生アプリは、音楽データを再生してスピーカ部２７から出力させる、いわゆる音楽プレイヤーである。音楽データは、複数種類のフォーマットに対応することが可能である。
【００６２】
音楽再生アプリを起動すると、記憶部２２に記憶されている音楽データに基づいて、楽曲のタイトル、アルバムタイトル、アーティスト名などが一覧表示される。楽曲のタイトルなどとともにジャケット画像などを表示することもできる。一覧表示された中からユーザが１つのタイトルを選択すると、選択された楽曲の音楽データが再生されてスピーカ部２７から出力する。音楽再生アプリは、記憶部２２に記憶されている音楽データ以外に、データ通信によって音楽配信サーバと接続し、課金処理などを経たのち、ダウンロードして音楽データを取得することもできる。
【００６３】
このような音楽再生アプリが起動している状態で、ライフログキーＡが押されトリガー信号が制御部２１に入力された時点で、起動しているアプリケーション、すなわち音楽再生アプリの名称など当該アプリケーションが識別可能な情報を動作関連情報として記憶する。このとき、トリガー信号が制御部２１に入力された時点で、音楽プレイヤーで再生されている楽曲のタイトルなど当該楽曲が識別可能な情報を動作関連情報として記憶してもよい。さらに詳細な情報として、トリガー信号が制御部２１に入力された時点に再生されている再生時間を動作関連情報として記憶してもよい。
【００６４】
＜電子メールアプリ＞
電子メールアプリは、電子メールの送受信、作成、閲覧などするためのいわゆるメーラーである。
【００６５】
電子メールアプリを起動すると、メニュー画面が表示され、電子メールの受信、電子メールの送信、電子メールの作成、電子メールの表示、電子メールの検索など各種機能を使用することができる。
【００６６】
このような電子メールアプリが起動している状態で、ライフログキーＡが押されトリガー信号が制御部２１に入力された時点で、起動しているアプリケーション、すなわち電子メールアプリの名称など当該アプリケーションが識別可能な情報を動作関連情報として記憶する。このとき、トリガー信号が制御部２１に入力された時点で、メーラーで表示されている受信メールの送信元メールアドレス、送信者名称、タイトルおよびヘッダー情報や作成されている送信メールの宛先メールアドレス、宛先名称、タイトルなど当該電子メールが識別可能な情報を動作関連情報として記憶してもよい。さらに詳細な情報として、トリガー信号が制御部２１に入力された時点で表示されているメール本文の文章や添付ファイルなどを動作関連情報として記憶してもよい。
【００６７】
動作関連情報としては、上記のような携帯機器２０自体の動作状態に関連する情報だけではなく、制御対象機器に関連する情報も動作関連情報として記憶してもよい。
【００６８】
たとえば、アプリケーションを携帯機器２０にインストールすることで、他の機器を遠隔制御することができるリモートコントローラとして携帯機器２０を機能させることが可能である。このような遠隔制御のためのアプリケーション（以下では、リモコンアプリという）を起動している場合、遠隔制御の制御対象となっている機器に関する情報、具体的な制御内容を動作関連情報として記憶する。
【００６９】
テレビジョン受像機（略称  テレビ）を遠隔制御するリモコンアプリが起動している状態で、ライフログキーＡが押されトリガー信号が制御部２１に入力された時点で、遠隔制御の対象となっているテレビの名称やＩＤ情報など制御対象機器が識別可能な情報を動作関連情報として記憶する。このとき、トリガー信号が制御部２１に入力された時点で、選局したチャネル、選局したチャネルで放送されている番組名など選局したチャネルに関する情報を動作関連情報として記憶してもよい。
【００７０】
照明器具を遠隔制御するリモコンアプリが起動している状態で、ライフログキーＡが押されトリガー信号が制御部２１に入力された時点で、遠隔制御の対象となっている照明器具の名称やＩＤ情報など制御対象機器が識別可能な情報を動作関連情報として記憶する。このとき、トリガー信号が制御部２１に入力された時点で、明るさ（照度）、発光色など照明の状態を示す情報を動作関連情報として記憶してもよい。
【００７１】
空気調整機を遠隔制御するリモコンアプリが起動している状態で、ライフログキーＡが押されトリガー信号が携帯機器制御部２１に入力された時点で、遠隔制御の対象となっている空気調整機の名称やＩＤ情報など制御対象機器が識別可能な情報を動作関連情報として記憶する。このとき、トリガー信号が制御部２１に入力された時点で、暖房運転、冷房運転、ドライ運転などの運転種別や、設定温度、室温などの温度情報など空気調整機の運転設定情報を動作関連情報として記憶してもよい。
【００７２】
ロボットを遠隔制御するリモコンアプリが起動している状態で、ライフログキーＡが押されトリガー信号が制御部２１に入力された時点で、遠隔制御の対象となっているロボットの名称やＩＤ情報など制御対象機器が識別可能な情報を動作関連情報として記憶する。このとき、トリガー信号が制御部２１に入力された時点で、歩く、しゃがむ、前転などロボットの動作内容を動作関連情報として記憶してもよい。
【００７３】
位置関連情報は、携帯機器２０の現在位置を表わす経緯度だけではなく、通信部２６による無線通信で他の機器と接続しているような場合には、その接続状態を示す情報として取得される。
【００７４】
現在位置を表わす経緯度は、ＧＰＳ受信部２９によって取得することができる。ライフログキーＡが押されトリガー信号が制御部２１に入力された時点で、ＧＰＳ受信部２９に経緯度を取得させ、取得した経緯度を位置関連情報として記憶する。
【００７５】
また、他の機器と無線接続している場合、たとえば、テレビと無線接続している場合やＰＣと無線接続している場合などは、接続している機器を特定することができれば、少なくとも無線接続している機器と無線接続可能な位置に携帯機器２０が存在したと考えられるので、他の機器との接続状態を示す情報も位置関連情報であるといえる。
【００７６】
携帯機器２０の通信部２６によって通信可能な通信方式であれば、どのような無線通信によって他の機器と接続してもよく、上記のようなＷｉ−Ｆｉ（登録商標）、Ｂｌｕｅｔｏｏｔｈ(登録商標)あるいはＺｉｇｂｅｅ(登録商標)などの通信方式であってもよい。他の機器が、通信部２６と無線通信可能であれば、接続状態を取得して位置関連情報として記憶することができる。接続状態としては、無線通信により接続していたかどうかを示すだけでもよく、さらにＵＷＢ（Ultra Wide Band）通信のように、互いに接続している機器間の距離、携帯機器２０を基準として接続している他の機器が在る方角など接続している他の機器の位置を示すこともできる。
【００７７】
ライフログキーＡが押されトリガー信号が制御部２１に入力された時点で、通信部２６が無線接続している他の機器を識別できるＩＤ情報などを抽出し、接続機器リストとして記憶する。
【００７８】
無線接続可能な他の機器について、予めその所在位置を登録しておけば、所在位置が登録されている機器と携帯機器２０とが無線接続されている場合に、接続している機器の所在位置を携帯機器２０の所在位置とみなし、所在位置を位置関連情報として記憶してもよい。たとえば、無線接続が可能な機器のうち、自宅に置いてあるテレビ、ＰＣ、ハードディスクレコーダ、冷蔵庫、体重計などについて、それぞれ識別可能なＩＤ情報に対して、所在地「自宅」を登録しておく。また、会社に置いてあるＰＣについて識別可能なＩＤ情報に対して、所在地「会社」を登録しておく。
【００７９】
ライフログキーＡが押されトリガー信号が制御部２１に入力された時点で、通信部２６が無線接続している他の機器のＩＤ情報を抽出するとともに、抽出されたＩＤ情報に対して登録された所在位置を位置関連情報として記憶する。
【００８０】
さらに詳細にテレビ、ハードディスクレコーダの所在位置を「自宅−リビング」、冷蔵庫の所在位置を「自宅−キッチン」、体重計の所在位置を「自宅−洗面所」などのように、「主所在位置−副所在位置」として主の所在位置の下位に副の所在地を登録しておき、より詳細な位置関連情報を記憶可能してもよい。
【００８１】
上記のような動作関連情報および位置関連情報を記憶部２２に記憶するときには、記憶しようとする動作関連情報および位置関連情報を取得した現在時刻を、取得した動作関連情報および位置関連情報に関連付けて記憶部２２に記憶する。ライフログキーＡが押されトリガー信号が制御部２１に入力された時点で、動作関連情報および位置関連情報を取得するとともに、計時部を参照して現在時刻をライフログ取得時刻として動作関連情報および位置関連情報に関連付けて記憶部２２に記憶する。
【００８２】
動作関連情報および位置関連情報に関連付けて記憶する現在時刻に加えて取得時間を記憶してもよい。ライフログキーＡが押されてトリガー信号が制御部２１に入力された時点で、現在時刻を取得するが、ライフログキーＡが一度押された後、連続してライフログキーＡが押されたような場合は、一連のライフログキーＡの押下であるとして、ライフログキーＡが連続して押された時間を取得時間として、現在時刻とともに動作関連情報および位置関連情報に関連付けて記憶部２２に記憶する。連続してライフログキーＡが押されたかどうかは、前回ライフログキーＡが押されてから予め定める期間内に新たにライフログキーＡが押されたかどうかによって判断する。予め定める期間は、たとえば０．１〜１秒間であり、前回ライフログキーＡが押されてから０．１〜１秒間が経過するまでに新たにライフログキーＡが押されたときは、前回と今回のライフログキーＡの押下は連続したものと判断する。取得時間は、一連のライフログキーＡの押下が為された時間であり、一連の押下において、最初にライフログキーＡが押された時刻から最後にライフログキーＡが押された時刻までの時間である。
【００８３】
取得時間を動作関連情報および位置関連情報に関連付けて記憶する場合に、動作関連情報および位置関連情報の取得時間における変化も記憶しておくことが好ましい。たとえば、動画を再生して閲覧しているときに、連続してライフログキーＡが押されると、取得時間中に再生した期間を動作関連情報に加えて記憶する。ライフログキーＡが１回だけ押されたときには、動画を再生しているような場合であっても、ライフログキーＡが押されてトリガー信号が制御部２１に入力された時点で、再生されている１フレームのフレーム番号などを動作関連情報として記憶するだけであるが、取得時間を記憶するときは、取得期間中に再生された全フレームのフレーム番号や再生した期間を動作関連情報の変化として記憶する。
【００８４】
ライフログキーＡの操作について、上記では、１回押すとトリガー信号が発生してライフログを記憶し、連続してライフログキーＡを押した場合は、一連のライフログキーＡの押下として取得時間を記憶する。連続してライフログキーＡが押されたときに、取得時間を記憶するのではなく、ユーザの感情または評価を表わす感情情報を記憶するようにしてもよい。連続してライフログキーＡが押されたときに、押された回数とユーザの感情または評価とを予め関連付けておき、連続してライフログキーＡが押された回数に基づいて、感情情報をライフログとして記憶する。
【００８５】
押された回数とユーザの感情または評価との関連付けは、たとえば、２回連続してライフログキーＡが押されたときは、ユーザの感情または評価として、楽しい、嬉しい、良い、素晴らしいなど正の感情を表すものとし、３回以上連続してライフログキーＡが押されたとき、または長押しされたときは、ユーザの感情または評価として、つまらない、悲しい、悪い、気に入らないなど負の感情を表すものとする。感情情報としては、正の感情を表すときは「良」を記憶し、負の感情を表すときは「否」を記憶する。
【００８６】
取得時間を記憶する場合と同様に、１回目にライフログキーＡが押されたときに、現在時刻と取得した動作関連情報および位置関連情報などを記憶し、連続して２回目のライフログキーＡが押されたときは感情情報として「良」を記憶する。さらに連続して３回目のライフログキーＡが押されたときまたは長押しされたときは感情情報として「良」の代わりに「否」を記憶する。４回目以降は、連続してライフログキーＡが押されても感情情報として「否」を記憶した状態を維持する。連続した２回目のライフログキーの押下が無かった場合は、動作関連情報および位置関連情報などを記憶するだけで、感情情報は記憶されない。
【００８７】
図４は、ログデータのデータ構成の一例を示す図である。ログデータは、ライフログキーＡが押されたときに取得される動作関連情報および位置関連情報を含むデータであり、現在時刻または取得時間を示す「ＴＩＭＥ」Ｄ１、所在位置を示す「Ｐｌａｃｅ」Ｄ２、感情情報を示す「ＡＣＴ」Ｄ３、アプリケーションが識別可能な情報としてアプリケーション名称を示す「Ａｐｐ」Ｄ４、アプリケーションの動作内容を示す「Ｃｏｎｔｅｎｔｓ」Ｄ５、他の機器との接続状態を示す「Ｃｏｎｎｅｃｔ」Ｄ６が互いに関連付けられて記憶部２２に記憶される。
【００８８】
「ＴＩＭＥ」Ｄ１には、ライフログキーＡが押されたときの時刻が記載され、本例では、年月日時分秒が記載される。「Ｐｌａｃｅ」Ｄ２には、ライフログキーＡが押されたときの位置が記載され、本例では、経緯度または接続機器が記載される。「ＡＣＴ」Ｄ３には、ライフログキーＡが押されたときのユーザの感情を示す感情情報が記載され、本例では、１回押された場合（×１）は、単に動作関連情報および位置関連情報などを記憶するだけの「Ｃｈｅｃｋ」を記載し、２回押された場合（×２）は、正の感情を表す「Ｇｏｏｄ」を記載し、長押しされた場合（Ｌｏｎｇ）は、負の感情を表す「ＢＡＤ」を記載する。「Ａｐｐ」Ｄ４には、アプリケーションの名称が記載される。アプリケーションが起動されていない待ち受け状態は、本例では（スタンバイ）と記載される。「Ｃｏｎｔｅｎｔｓ」Ｄ５には、アプリケーションの動作内容が記載され、たとえば、リモコンアプリなら選局したチャネルが記載され、ウェブ閲覧アプリなら表示していたサイトのＵＲＬが記載される。「Ｃｏｎｎｅｃｔ」Ｄ６には、接続していた他の機器の識別情報が記載され、たとえば機器の型番が記載される。
【００８９】
ライフログには、必ずログ取得時点における現在時刻が記憶されているので、現在時刻に基づいて、記憶されている動作関連情報および位置関連情報を、時間の流れに沿って表示部２５に表示させる。動作関連情報および位置関連情報の表示は、記憶されている情報をそのまま表示してもよく、記憶されている情報に応じて、文字情報であれば略称やキーワード、画像情報であればサムネイルなどを時刻とともに表示する。このような表示によって、ライフログをいわゆるタイムライン表示することができる。
【００９０】
図５は、ライフログの出力態様を示す模式図である。
図５（ａ）は、動作関連情報および位置関連情報を、時間の流れに沿ってタイムライン表示を行う態様を示し、図５（ｂ）は、動作関連情報および位置関連情報を、月日ごとにまとめて表示するカレンダー表示の出力態様を示し、図５（ｃ）は、動作関連情報および位置関連情報を、位置関連情報に基づいて地図上に表示するマップ表示の出力態様を示す。
【００９１】
タイムライン表示では、表示部２５のたとえば上下方向に沿って時間が流れるように、より過去の情報は表示部２５の下方に表示される。１画面に収まらない場合は、上下にスクロールさせて表示することも可能である。
【００９２】
タイムライン表示では、１つの時刻を１単位として、１つの時刻に関連付けられて記憶されている動作関連情報および位置関連情報を、１単位を表わす領域内に全て表示する。図５（ａ）に示す例では、１つの領域４０に年月日時分で示す「時間」４１、市町村番地で示す「場所」４２、「アプリ名称」４４を表示し、さらに撮影画像（サムネイル）４５、ＶＯＤ動画フレーム（サムネイル）４６、所在位置４７、制御対象機器名称４８、感情情報４９などが年月日時分で表わされる１つの時刻に対応する領域４０内に表示される。
【００９３】
撮影画像のサムネイル４５、ＶＯＤ動画フレームのサムネイル４６には、記憶部２２に記憶されている画像データに対してのリンク付けがなされており、撮影画像のサムネイル４５をタップなどによって選択すると、画像閲覧アプリが起動して、該当する撮影画像を表示する。また、ＶＯＤ動画フレームのサムネイル４６をタップなどによって選択すると、ＶＯＤ視聴アプリが起動し、該当する動画を再生する。その他、所在位置４７、制御対象機器名称４８にもリンク付けしておき、所在位置４７をタップなどによって選択したときには、地図アプリを起動して所在位置周辺の地図画像を表示したり、制御対象機器名称４８を選択したときには、該当する制御対象機器を遠隔制御するためのリモコンアプリを起動する。
【００９４】
タイムライン表示と同じ時刻に基づくライフログの他の表示態様として、図５（ｂ）に示すカレンダー表示がある。１月分の日付けを表示部２５に表示し、日付けを１単位として、日付けに関連付けられているライフログが記憶されている場合は、その日付けを示す矩形状の領域５０にライフログが記憶されていることを示すアイコン５１を表示する。動作関連情報として撮影画像などが記憶されているときは、撮影画像のサムネイル５２を日付け領域５０に表示する。
【００９５】
アイコン５１やサムネイル５２が表示されている日付け領域５０をタップするか、アイコン５１、サムネイル５２をタップするなどして選択すると、タイムライン表示の該当する領域４０が表示画面の中央部分に表示される。
【００９６】
また、位置関連情報が記憶されている場合、位置関連情報に基づいて地図上にライフログを表示する態様としてマップ表示がある。各都道府県を１単位として、位置関連情報に基づいて、ライフログが記憶されているときは、都道府県を示す領域６０に、ライフログが記憶されていることを示すアイコン６１を表示する。アイコン６１が表示されている都道府県の領域６０をタップするか、アイコン６１をタップするなどして選択すると、タイムライン表示の該当する領域４０が表示画面の中央部分に表示される。
【００９７】
このように、ライフログキーＡを押すだけの簡単な操作で、そのときの携帯機器２０の動作状態や位置などのライフログを記録することができ、記録したライフログを表示させることで、後で振り返って思い出したり確認することができる。
【００９８】
また、ライフログとして、動作関連情報および位置関連情報以外に、友人知人情報を携帯機器記憶部２２に記憶してもよい。
【００９９】
友人知人情報は、たとえば、携帯機器２０で他の携帯機器と電話通信する場合に、通信先の携帯機器に対して、予め友人、知人、家族、親戚など人に関連する情報がその携帯機器の所有者として関連付けられているときは、接続している携帯機器の情報を記憶するのではなく、関連付けられた所有者の名前などの所有者情報を記憶する。
【０１００】
電話通信またはショートメッセージの送受信、チャット通信など相手側の携帯機器と通信を行っている状態で、ライフログキーＡが押されトリガー信号が制御部２１に入力された時点で、通信している相手側の携帯機器を特定し、さらに特定した携帯機器に、たとえば電話帳ソフトウェアなどによって予め携帯機器に関連付けられている所有者情報を友人知人情報として記憶する。
【０１０１】
ライフログとして記憶した友人知人情報についても、図５に示したようなタイムライン表示、カレンダー表示、マップ表示などにおいて、動作関連情報および位置関連情報と同様に表示する。
【０１０２】
またさらに、携帯機器２０は、記憶部２２に記録したライフログの動作関連情報、位置関連情報および友人知人情報を対象に検索処理を行うことができる。検索処理のための検索キーとしては、たとえば、日付け、位置、人名、アプリケーション名などを用いることができる。
【０１０３】
図６は、検索処理を行うときの操作画面の例および操作画面の遷移を示す図である。たとえば、検索処理用のアプリケーションを起動させると、検索メニュー画面７０を表示部２５に表示する。検索メニュー画面７０は、日付けを検索キーとして検索する日付け検索を選択するための日付け検索ボタン７１、位置を検索キーとして検索する位置検索を選択するための位置検索ボタン７２、人名を検索キーとして検索する人名検索を選択するための人名検索ボタン７３、アプリケーション名を検索キーとして検索するアプリ検索のためのアプリ検索ボタン７４を含む。
【０１０４】
これらの検索ボタンの中から、タップなどによって１つの検索ボタンを選択すると、選択されたボタンに対応する検索処理を実行することができる。日付け検索ボタン７１が選択されると、検索キーとなる日付けを入力することになるが、本実施形態では、前述のカレンダー表示を用いて日付けを入力する。カレンダー表示では、従来のカレンダー機能と同様に、表示される年月日を切り替えることができ、過去の年月日に遡って所望の日付けを表示することができる。ユーザは、表示を切り替えて、検索したい日付けを含むカレンダー表示画面７５を表示させる。検索したい日付けの日付け領域５０をタップするなどによって選択すると、選択された日付けを検索キーとして、制御部２１が、記憶部２２に記憶されたライフログから、検索キーである日付けに関連付けられた動作関連情報および位置関連情報などを抽出し、抽出した動作関連情報および位置関連情報などを検索結果表示画面７６に表示する。検索結果表示画面７６上部の検索キー表示領域７７に、検索キーとした日付けを表示する。
【０１０５】
検索ボタンの中から、位置検索ボタン７２が選択されると、検索キーとなる位置を入力することになるが、本実施形態では、前述のマップ表示を用いて位置を入力する。マップ表示では、従来のマップ機能と同様に、表示される都道府県や地方などを切り替えることができ、所望の場所を表示することができる。ユーザは、表示を切り替えて、検索したい位置を含むマップ表示画面７８を表示させる。検索したい位置を含む領域６０をタップするなどによって選択すると、選択された位置を検索キーとして、制御部２１が、記憶部２２に記憶されたライフログから、検索キーである位置に関連付けられた動作関連情報および位置関連情報などを抽出し、抽出した動作関連情報および位置関連情報などを検索結果表示画面７９に表示する。検索結果表示画面７９上部の検索キー表示領域８０に、検索キーとした位置を住所として表示する。
【０１０６】
検索ボタンの中から、人名検索ボタン７３が選択されると、検索キーとなる人名を入力することになるが、本実施形態では、電話帳表示を用いて人名を入力する。電話帳表示では、従来の電話帳機能と同様に、登録されている人名を五十音順などでソートして表示させ、表示を切り替えることによって所望の人名を表示することができる。ユーザは、表示を切り替えて、検索したい人名を含む電話帳表示画面８１を表示させる。検索したい人名領域８２をタップするなどによって選択すると、選択された人名を検索キーとして、制御部２１が、記憶部２２に記憶されたライフログから、検索キーである人名に関連付けられた動作関連情報および位置関連情報などを抽出し、抽出した動作関連情報および位置関連情報などを検索結果表示画面８３に表示する。検索結果表示画面８３上部の検索キー表示領域８４に、検索キーとした人名を表示する。
【０１０７】
検索ボタンの中から、アプリ検索ボタン７４が選択されると、検索キーとなるアプリケーション名を入力することになるが、本実施形態では、アプリ一覧表示を用いてアプリケーション名を入力する。アプリ一覧表示では、携帯機器２０にインストールされているアプリケーションを一覧表示し、一画面に収まらない場合は、スクロールさせて所望のアプリケーション名を表示することができる。ユーザは、表示を切り替えて、検索したいアプリケーション名を含む表示画面８５を表示させる。検索したいアプリ名領域８６をタップするなどによって選択すると、選択されたアプリケーション名を検索キーとして、制御部２１が、記憶部２２に記憶されたライフログから、検索キーであるアプリケーション名に関連付けられた動作関連情報および位置関連情報などを抽出し、抽出した動作関連情報および位置関連情報などを検索結果表示画面８７に表示する。検索結果表示画面８７上部の検索キー表示領域８８に、検索キーとしたアプリケーション名を表示する。
【０１０８】
このように、記憶されたライフログについて、あらゆる検索キーを用いて検索し、所望の情報を後から表示させたり出力させることができる。検索キーの入力は、ソフトキーボードから入力してもよく、マイク部３０から入力される音声を認識し、認識した言葉を検索キーとする音声検索も可能である。
【０１０９】
図６では、検索によって記憶されたライフログから所定のライフログを探す例を示したが、これは、記憶されたライフログを呼び出す一例であって、検索以外に携帯機器２０の現在位置情報に合わせて、アプリケーションが自動またはユーザの操作によって過去に同じ場所にいたときに記憶されたライフログを表示することもできる。また、アプリケーションが今日の日付に基づいて、昨年の今日記憶されたライフログをカレンダで出力することで、昨年の今日に何をしていたかを振り返ることができる。
【符号の説明】
【０１１０】
２０    携帯機器
２１    制御部
２２    記憶部
２３    一時記憶部
２４    操作部
２５    表示部
２６    通信部
２７    スピーカ部
２８    振動部
２９    ＧＰＳ受信部
３０    マイク部
３１    カメラ部
３３    ログ送信部
３５    ログ記憶部
Ａ      ライフログキー
【図１】
2014007532.tif 000003
【図２】
2014007532.tif 000004
【図３】
2014007532.tif 000005
【図４】
2014007532.tif 000006
【図５】
2014007532.tif 000007
【図６】
2014007532.tif 000008